(57)【要約】      （修正有）【課題】従来の中古車の仕入れと販売方法の有する、維持管理の負担が大きい問題や経済的負担が大きい問題をなくした、中古車の入札代理事業に使用する依頼伝票を提供する。【解決手段】顧客の希望する中古車の車名・グレード・排気量・ドア形式などを記載する車名等欄８ａ、年式について記載する年式欄８ｂ、シフトの形式を記載するシフト欄８ｃ、車体の色を記載する色欄８ｄ、走行距離・ハードトップ又はセダンなどの情報・ナビゲーションやテレビの装備、ＣＤやＭＤなどオーディオの装備などの情報を記載する備考欄８ｊ、顧客の予算に関する情報を記載する予算欄８ｅ、さらに、顧客の氏名や名称を記載する氏名等欄８ｆ、住所や居所を記載する住所等欄８ｇ、電話番号・携帯電話の番号・ＦＡＸ番号・メイルアドレスなどを記載する電話等欄８ｈを有する依頼伝票８。【選択図】図１
0003125577.tif 000002
【実用新案登録請求の範囲】
【請求項１】
中古車のオークションに対する入札代理事業に使用する伝票であって、顧客が落札を希望する中古車の車名、グレード、年式、シフト、車体の色及び走行距離の情報（以下単に「希望条件」という。）、顧客の予算の情報並びに顧客の氏名、住所及び電話番号に関する情報を記載する欄を設けたことを特徴とする伝票。
【請求項２】
請求項１に記載した伝票であって、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けたことを特徴とする伝票。
【考案の詳細な説明】
【技術分野】
【０００１】
本考案は、中古車の購入を希望する顧客の依頼を受けて、中古車オークションに対する入札を代理する事業に使用する伝票に関するものである。
【背景技術】
【０００２】
現在では、全国の多数のオークション会場で中古車のオークションが行われており、各オークション会場は衛星回線やインターネットなどの電気通信回線で結ばれネットワーク（以下単に「中古車ネットワーク」という。）を構成している。
中古車ネットワークのデータベースにはオークション会場のデータ、オークションに出品する出品車のデータ、各出品車の競りが行われる日時とオークション会場及び出品番号のデータ、各出品車毎の車両状況説明書のデータ、過去の落札価格データなどを蓄積して会員に公開している。
中古車ネットワークのデータベースの車両状況説明書には、各出品車毎に出品番号、車名、グレード、排気量、年式、シフト、次期車検月、走行キロ数、車体の色などのデータ及び各中古車オークションの主催者に属する検査員が評価した評価点などが記録されているため、データーベースの情報をチェックすることにより実際に点検しなくても出品車の状況を把握することができる。
中古車ネットワークの会員である中古車の販売業者は、オークション会場に出かけ出品車を点検しオークション会場の入札端末を使用して入札したり、あるいは自己のコンピュータ及び入札端末を中古車ネットワークに連結し、中古車ネットワークのデータベースの情報をダウンロードして入札する中古車並びに入札価格の決定及び入札を行っていた。
そして従来の中古車の販売業者は、中古車ネットワークで落札した多数の中古車を店頭に展示して顧客に販売する事業を行っていた。
かかる中古車の仕入れと販売方法では、中古車を展示するために広いスペースが必要となり、展示場をきれいな状態に維持するための展示スペースや展示車のクリーニング、展示車が盗難にあったり、傷を付けられたり、ガラスを割られたりすることを防ぐなどの維持管理の負担が大きく、さらに、展示車を管理する人件費の負担や、展示車に対する先行投資の金利負担や、展示車の保険負担及び月日の経過と共に展示車の価格が下落するなどの経済的負担が過大になる問題を有していた。
そこで、顧客が落札を希望する中古車の車名、グレード、年式、シフト、車体の色、走行距離の情報（以下単に「希望条件」という。）及び顧客の予算の情報を顧客から入手して、オークションデータの中にある出品車のデータの中から顧客の希望条件に合う中古車の情報を抽出し、抽出した前記情報を顧客に提供し、顧客の選択した中古車のオークションに対して入札して顧客の求める中古車を落札する入札代理方法を考えたが、そのような入札代理事業に使用する伝票はなかった。
【考案の開示】
【考案が解決しようとする課題】
【０００３】
本考案の目的は、従来の中古車の仕入れと販売方法の有する、中古車を展示するために広いスペースが必要となる問題をなくし、展示場をきれいな状態に維持するための展示スペースや展示車のクリーニング、展示車が盗難にあったり、傷を付けられたり、ガラスを割られたりすることを防ぐなどの維持管理の負担が大きい問題をなくし、また、展示車を管理する人件費の負担や、展示車に対する先行投資の金利負担や、展示車の保険負担及び月日の経過と共に展示車の価格が下落する、などの経済的負担をなくした顧客への中古車の提供方法である、中古車の入札代理事業に使用する伝票を提供することにある。
【課題を解決するための手段】
【０００４】
顧客の希望条件及び顧客の予算の情報並びに顧客の氏名、住所及び電話番号に関する情報を記載する欄を設けた伝票とする。さらに、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けた伝票とする。
【考案の効果】
【０００５】
本発明は上記のように、中古車の入札代理事業に使用する伝票を提供することにより、顧客の依頼に応じて入札の代理を行い、落札した中古車を顧客に引き渡す事業を可能としたので、展示スペースを必要としない中古車の顧客への提供事業が可能になった。
また、従来の中古車の仕入れと販売方法の有する、展示場をきれいな状態に維持するための展示スペースや展示車のクリーニング、展示車が盗難にあったり、傷を付けられたり、ガラスを割られたりすることを防ぐなどの維持管理の負担のない、顧客への中古車の提供事業が可能になった。
また、展示車を管理する人件費の負担や、展示車に対する先行投資の金利負担や、展示車の保険負担及び月日の経過と共に展示車の価格が下落するなどの経済的負担をなくした、顧客への中古車の提供事業が可能になった。
【考案を実施するための最良の形態】
【０００６】
請求項１の考案は、中古車のオークションに対する入札代理事業に使用する伝票であって、顧客が落札を希望する中古車の車名、グレード、年式、シフト、車体の色及び走行距離の情報などの希望条件、顧客の予算の情報並びに顧客の氏名、住所及び電話番号に関する情報を記載する欄を設けた伝票とする。
請求項２の考案は、請求項１に記載した伝票であって、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けた伝票とする。
【実施例１】
【０００７】
以下中古車ネットワークの構成を図２に、入札代理方法の各ステップを図３に、本考案の実施例１の伝票を図１にそれぞれ示し説明する。
中古車ネットワーク１２は電気通信回線で各地のオークション会場１１と連結し、各中古車業者１３はそれぞれ中古車ネットワーク１２の会員となって、各地のオークション会場１１で行われる中古車のオークションに入札している。
入札代理事務所１は依頼伝票８を有し、依頼伝票８は複数枚複写式の伝票であって、車名・グレード・排気量・ドア形式などを記載する車名等欄８ａ、年式について記載する年式欄８ｂ、シフトの形式を記載するシフト欄８ｃ、車体の色を記載する色欄８ｄ、走行距離・ハートップ又はセダンなどの情報・ナビゲーションやテレビの装備、ＣＤやＭＤなどオーディオの装備などの情報を記載する備考欄８ｊ、顧客の予算に関する情報を記入する予算欄８ｅを有している。
さらに顧客に関する情報を記載する欄であって、氏名や名称を記載する氏名等欄８ｆ、住所や居所を記載する住所等欄８ｇ、電話番号・携帯電話の番号・ＦＡＸ番号・メイルアドレスなどを記載する電話等欄８ｈを有している。
【０００８】
入札代理事務所１では、顧客から顧客が希望する中古車の希望情報を入手する。この時、入札代理事務所１は顧客の希望する中古車の車名、グレード、年式、シフト、車体の色、走行距離などの希望条件に加え、排気量、４ドアや５ドアなどのドア形式、ハートップ又はセダンなどの情報、ナビゲーションやテレビの装備、ＣＤやＭＤなどオーディオの装備などの情報及び顧客の予算に関する情報、さらには顧客に関する情報を聞いて依頼伝票８に記載する。依頼伝票８は複数枚の複写式になっているが、１部を顧客にお客様控として渡し、残りは入札代理事務所１において担当者控や事務所控として使用する。
続いて、中古車ネットワーク１２のデータベースの中にある出品車のデータの中から顧客の希望条件に合う中古車の情報を抽出する。このときは希望条件のすべてが一致する中古車の情報を抽出することとした。
そして、同等の中古車の最近の落札価格データと過去における落札経験を合わせて検討して、顧客希望金額で落札する可能性のある出品車があれば、これらのデータを顧客に提供してどの出品車に入札するか顧客の選択を求める。
一方、顧客希望金額で落札の可能性のある出品車がない場合及び入札代理事務所１がデータを提供した中古車について顧客が入札を希望しなかった場合には、顧客に対し希望条件の変更を求め、再度データベースの中にある出品車のデータの中から顧客の希望条件に合う中古車の情報を抽出し、そのデータを顧客に提供してどの出品車に入札するか顧客の選択を求める。
顧客の選択を得た後には、入札代理事務所１の大型モニターにより顧客の求める中古車のオークションの競りの実況中継を行いながら、オークションにおいて顧客の求める中古車に入札する。
落札に成功した場合は、落札した中古車の登録手続きを行った後に顧客に引き渡し、対価として手数料を申し受ける。落札に失敗した場合は、さらに顧客の希望条件を確認し中古車ネットワーク１２のデータベースの中にある出品車のデータの中から顧客の希望条件に合う中古車の情報を抽出する。
【産業上の利用可能性】
【０００９】
本考案は、中古車ネットワークの中古車オークションに対して顧客の希望する中古車について入札代理する産業に利用される。
【図面の簡単な説明】
【００１０】
【図１】依頼伝票の正面図である。
【図２】中古車ネットワークの構成を示した模式図である。
【図３】入札代理方法の工程図である。
【符号の説明】
【００１１】
１  ：入札代理事務所        ８  ：依頼伝票              ８ａ：車名等欄
８ｂ：年式欄                ８ｃ：シフト欄              ８ｄ：色欄
８ｅ：予算欄                ８ｆ：氏名等欄              ８ｇ：住所等欄
８ｈ：電話等欄              ８ｊ：備考欄              １１  ：オークション会場
１２  ：中古車ネットワーク  １３  ：中古車業者
【図１】
0003125577.tif 000003
【図２】
0003125577.tif 000004
【図３】
0003125577.tif 000005
【手続補正書】
【提出日】平成18年5月30日(2006.5.30)
【手続補正１】
【補正対象書類名】実用新案登録請求の範囲
【補正対象項目名】全文
【補正方法】変更
【補正の内容】
【実用新案登録請求の範囲】
【請求項１】
中古車のオークションに対する入札代理事業に使用する伝票であって、顧客が落札を希望する中古車の車名、グレード、年式、シフト、車体の色及び走行距離の情報（以下単に「希望条件」という。）、顧客の予算の情報並びに顧客の氏名、住所及び電話番号に関する情報を記載する欄を設けたことを特徴とする複写式の伝票。
【請求項２】
請求項１に記載した伝票であって、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けたことを特徴とする複写式の伝票。
【手続補正２】
【補正対象書類名】明細書
【補正対象項目名】全文
【補正方法】変更
【補正の内容】
【考案の詳細な説明】
【技術分野】
【０００１】
本考案は、中古車の購入を希望する顧客の依頼を受けて、中古車オークションに対する入札を代理する事業に使用する伝票に関するものである。
【背景技術】
【０００２】
現在では、全国の多数のオークション会場で中古車のオークションが行われており、各オークション会場は衛星回線やインターネットなどの電気通信回線で結ばれネットワーク（以下単に「中古車ネットワーク」という。）を構成している。
中古車ネットワークのデータベースにはオークション会場のデータ、オークションに出品する出品車のデータ、各出品車の競りが行われる日時とオークション会場及び出品番号のデータ、各出品車毎の車両状況説明書のデータ、過去の落札価格データなどを蓄積して会員に公開している。
中古車ネットワークのデータベースの車両状況説明書には、各出品車毎に出品番号、車名、グレード、排気量、年式、シフト、次期車検月、走行キロ数、車体の色などのデータ及び各中古車オークションの主催者に属する検査員が評価した評価点などが記録されているため、データーベースの情報をチェックすることにより実際に点検しなくても出品車の状況を把握することができる。
中古車ネットワークの会員である中古車の販売業者は、オークション会場に出かけ出品車を点検しオークション会場の入札端末を使用して入札したり、あるいは自己のコンピュータ及び入札端末を中古車ネットワークに連結し、中古車ネットワークのデータベースの情報をダウンロードして入札する中古車並びに入札価格の決定及び入札を行っていた。
そして従来の中古車の販売業者は、中古車ネットワークで落札した多数の中古車を店頭に展示して顧客に販売する事業を行っていた。
かかる中古車の仕入れと販売方法では、中古車を展示するために広いスペースが必要となり、展示場をきれいな状態に維持するための展示スペースや展示車のクリーニング、展示車が盗難にあったり、傷を付けられたり、ガラスを割られたりすることを防ぐなどの維持管理の負担が大きく、さらに、展示車を管理する人件費の負担や、展示車に対する先行投資の金利負担や、展示車の保険負担及び月日の経過と共に展示車の価格が下落するなどの経済的負担が過大になる問題を有していた。
そこで、顧客が落札を希望する中古車の車名、グレード、年式、シフト、車体の色、走行距離の情報（以下単に「希望条件」という。）及び顧客の予算の情報を顧客から入手して、オークションデータの中にある出品車のデータの中から顧客の希望条件に合う中古車の情報を抽出し、抽出した前記情報を顧客に提供し、顧客の選択した中古車のオークションに対して入札して顧客の求める中古車を落札する入札代理方法を考えたが、そのような入札代理事業に使用する伝票はなかった。
【考案の開示】
【考案が解決しようとする課題】
【０００３】
本考案の目的は、従来の中古車の仕入れと販売方法の有する、中古車を展示するために広いスペースが必要となる問題をなくし、展示場をきれいな状態に維持するための展示スペースや展示車のクリーニング、展示車が盗難にあったり、傷を付けられたり、ガラスを割られたりすることを防ぐなどの維持管理の負担が大きい問題をなくし、また、展示車を管理する人件費の負担や、展示車に対する先行投資の金利負担や、展示車の保険負担及び月日の経過と共に展示車の価格が下落する、などの経済的負担をなくした顧客への中古車の提供方法である、中古車の入札代理事業に使用する伝票を提供することにある。
【課題を解決するための手段】
【０００４】
顧客の希望条件及び顧客の予算の情報並びに顧客の氏名、住所及び電話番号に関する情報を記載する欄を設けた伝票とする。さらに、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けた複写式の伝票とする。
【考案の効果】
【０００５】
本発明は上記のように、中古車の入札代理事業に使用する伝票を提供することにより、顧客の依頼に応じて入札の代理を行い、落札した中古車を顧客に引き渡す事業を可能としたので、展示スペースを必要としない中古車の顧客への提供事業が可能になった。
また、従来の中古車の仕入れと販売方法の有する、展示場をきれいな状態に維持するための展示スペースや展示車のクリーニング、展示車が盗難にあったり、傷を付けられたり、ガラスを割られたりすることを防ぐなどの維持管理の負担のない、顧客への中古車の提供事業が可能になった。
また、展示車を管理する人件費の負担や、展示車に対する先行投資の金利負担や、展示車の保険負担及び月日の経過と共に展示車の価格が下落するなどの経済的負担をなくした、顧客への中古車の提供事業が可能になった。
【考案を実施するための最良の形態】
【０００６】
請求項１の考案は、中古車のオークションに対する入札代理事業に使用する伝票であって、顧客が落札を希望する中古車の車名、グレード、年式、シフト、車体の色及び走行距離の情報などの希望条件、顧客の予算の情報並びに顧客の氏名、住所及び電話番号に関する情報を記載する欄を設けた複写式の伝票とする。
請求項２の考案は、請求項１に記載した伝票であって、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けた複写式の伝票とする。
【実施例１】
【０００７】
以下中古車ネットワークの構成を図２に、入札代理方法の各ステップを図３に、本考案の実施例１の伝票を図１にそれぞれ示し説明する。
中古車ネットワーク１２は電気通信回線で各地のオークション会場１１と連結し、各中古車業者１３はそれぞれ中古車ネットワーク１２の会員となって、各地のオークション会場１１で行われる中古車のオークションに入札している。
入札代理事務所１は依頼伝票８を有し、依頼伝票８は複数枚複写式の伝票であって、車名・グレード・排気量・ドア形式などを記載する車名等欄８ａ、年式について記載する年式欄８ｂ、シフトの形式を記載するシフト欄８ｃ、車体の色を記載する色欄８ｄ、走行距離・ハートップ又はセダンなどの情報・ナビゲーションやテレビの装備、ＣＤやＭＤなどオーディオの装備などの情報を記載する備考欄８ｊ、顧客の予算に関する情報を記入する予算欄８ｅを有している。
さらに顧客に関する情報を記載する欄であって、氏名や名称を記載する氏名等欄８ｆ、住所や居所を記載する住所等欄８ｇ、電話番号・携帯電話の番号・ＦＡＸ番号・メイルアドレスなどを記載する電話等欄８ｈを有している。
【０００８】
入札代理事務所１では、顧客から顧客が希望する中古車の希望情報を入手する。この時、入札代理事務所１は顧客の希望する中古車の車名、グレード、年式、シフト、車体の色、走行距離などの希望条件に加え、排気量、４ドアや５ドアなどのドア形式、ハートップ又はセダンなどの情報、ナビゲーションやテレビの装備、ＣＤやＭＤなどオーディオの装備などの情報及び顧客の予算に関する情報、さらには顧客に関する情報を聞いて依頼伝票８に記載する。依頼伝票８は複数枚の複写式になっているが、１部を顧客にお客様控として渡し、残りは入札代理事務所１において担当者控や事務所控として使用する。
続いて、中古車ネットワーク１２のデータベースの中にある出品車のデータの中から顧客の希望条件に合う中古車の情報を抽出する。このときは希望条件のすべてが一致する中古車の情報を抽出することとした。
そして、同等の中古車の最近の落札価格データと過去における落札経験を合わせて検討して、顧客希望金額で落札する可能性のある出品車があれば、これらのデータを顧客に提供してどの出品車に入札するか顧客の選択を求める。
一方、顧客希望金額で落札の可能性のある出品車がない場合及び入札代理事務所１がデータを提供した中古車について顧客が入札を希望しなかった場合には、顧客に対し希望条件の変更を求め、再度データベースの中にある出品車のデータの中から顧客の希望条件に合う中古車の情報を抽出し、そのデータを顧客に提供してどの出品車に入札するか顧客の選択を求める。
顧客の選択を得た後には、入札代理事務所１の大型モニターにより顧客の求める中古車のオークションの競りの実況中継を行いながら、オークションにおいて顧客の求める中古車に入札する。
落札に成功した場合は、落札した中古車の登録手続きを行った後に顧客に引き渡し、対価として手数料を申し受ける。落札に失敗した場合は、さらに顧客の希望条件を確認し中古車ネットワーク１２のデータベースの中にある出品車のデータの中から顧客の希望条件に合う中古車の情報を抽出する。
【産業上の利用可能性】
【０００９】
本考案は、中古車ネットワークの中古車オークションに対して顧客の希望する中古車について入札代理する産業に利用される。
【図面の簡単な説明】
【００１０】
【図１】依頼伝票の正面図である。
【図２】中古車ネットワークの構成を示した模式図である。
【図３】入札代理方法の工程図である。
【符号の説明】
【００１１】
１  ：入札代理事務所        ８  ：依頼伝票              ８ａ：車名等欄
８ｂ：年式欄                ８ｃ：シフト欄              ８ｄ：色欄
８ｅ：予算欄                ８ｆ：氏名等欄              ８ｇ：住所等欄
８ｈ：電話等欄              ８ｊ：備考欄              １１  ：オークション会場
１２  ：中古車ネットワーク  １３  ：中古車業者
【手続補正書】
【提出日】平成18年7月11日(2006.7.11)
【手続補正１】
【補正対象書類名】実用新案登録請求の範囲
【補正対象項目名】全文
【補正方法】変更
【補正の内容】
【実用新案登録請求の範囲】
【請求項１】
中古車のオークションに対する入札代理事業に使用する伝票であって、顧客が落札を希望する中古車の車名、グレード、年式、シフト、車体の色及び走行距離の情報（以下単に「希望条件」という。）、顧客の予算の情報並びに顧客の氏名、住所及び電話番号に関する情報を記載する欄を設けたことを特徴とする複数枚からなる伝票。
【請求項２】
請求項１に記載した伝票であって、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けたことを特徴とする複数枚からなる伝票。
【手続補正２】
【補正対象書類名】明細書
【補正対象項目名】全文
【補正方法】変更
【補正の内容】
【考案の詳細な説明】
【技術分野】
【０００１】
本考案は、中古車の購入を希望する顧客の依頼を受けて、中古車オークションに対する入札を代理する事業に使用する伝票に関するものである。
【背景技術】
【０００２】
現在では、全国の多数のオークション会場で中古車のオークションが行われており、各オークション会場は衛星回線やインターネットなどの電気通信回線で結ばれネットワーク（以下単に「中古車ネットワーク」という。）を構成している。
中古車ネットワークのデータベースにはオークション会場のデータ、オークションに出品する出品車のデータ、各出品車の競りが行われる日時とオークション会場及び出品番号のデータ、各出品車毎の車両状況説明書のデータ、過去の落札価格データなどを蓄積して会員に公開している。
中古車ネットワークのデータベースの車両状況説明書には、各出品車毎に出品番号、車名、グレード、排気量、年式、シフト、次期車検月、走行キロ数、車体の色などのデータ及び各中古車オークションの主催者に属する検査員が評価した評価点などが記録されているため、データーベースの情報をチェックすることにより実際に点検しなくても出品車の状況を把握することができる。
中古車ネットワークの会員である中古車の販売業者は、オークション会場に出かけ出品車を点検しオークション会場の入札端末を使用して入札したり、あるいは自己のコンピュータ及び入札端末を中古車ネットワークに連結し、中古車ネットワークのデータベースの情報をダウンロードして入札する中古車並びに入札価格の決定及び入札を行っていた。
そして従来の中古車の販売業者は、中古車ネットワークで落札した多数の中古車を店頭に展示して顧客に販売する事業を行っていた。
かかる中古車の仕入れと販売方法では、中古車を展示するために広いスペースが必要となり、展示場をきれいな状態に維持するための展示スペースや展示車のクリーニング、展示車が盗難にあったり、傷を付けられたり、ガラスを割られたりすることを防ぐなどの維持管理の負担が大きく、さらに、展示車を管理する人件費の負担や、展示車に対する先行投資の金利負担や、展示車の保険負担及び月日の経過と共に展示車の価格が下落するなどの経済的負担が過大になる問題を有していた。
そこで、顧客が落札を希望する中古車の車名、グレード、年式、シフト、車体の色、走行距離の情報（以下単に「希望条件」という。）及び顧客の予算の情報を顧客から入手して、オークションデータの中にある出品車のデータの中から顧客の希望条件に合う中古車の情報を抽出し、抽出した前記情報を顧客に提供し、顧客の選択した中古車のオークションに対して入札して顧客の求める中古車を落札する入札代理方法を考えたが、そのような入札代理事業に使用する伝票はなかった。
【考案の開示】
【考案が解決しようとする課題】
【０００３】
本考案の目的は、従来の中古車の仕入れと販売方法の有する、中古車を展示するために広いスペースが必要となる問題をなくし、展示場をきれいな状態に維持するための展示スペースや展示車のクリーニング、展示車が盗難にあったり、傷を付けられたり、ガラスを割られたりすることを防ぐなどの維持管理の負担が大きい問題をなくし、また、展示車を管理する人件費の負担や、展示車に対する先行投資の金利負担や、展示車の保険負担及び月日の経過と共に展示車の価格が下落する、などの経済的負担をなくした顧客への中古車の提供方法である、中古車の入札代理事業に使用する伝票を提供することにある。
【課題を解決するための手段】
【０００４】
顧客の希望条件及び顧客の予算の情報並びに顧客の氏名、住所及び電話番号に関する情報を記載する欄を設けた伝票とする。さらに、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けた複数枚からなる複写式の伝票とする。
【考案の効果】
【０００５】
本発明は上記のように、中古車の入札代理事業に使用する伝票を提供することにより、顧客の依頼に応じて入札の代理を行い、落札した中古車を顧客に引き渡す事業を可能としたので、展示スペースを必要としない中古車の顧客への提供事業が可能になった。
また、従来の中古車の仕入れと販売方法の有する、展示場をきれいな状態に維持するための展示スペースや展示車のクリーニング、展示車が盗難にあったり、傷を付けられたり、ガラスを割られたりすることを防ぐなどの維持管理の負担のない、顧客への中古車の提供事業が可能になった。
また、展示車を管理する人件費の負担や、展示車に対する先行投資の金利負担や、展示車の保険負担及び月日の経過と共に展示車の価格が下落するなどの経済的負担をなくした、顧客への中古車の提供事業が可能になった。
【考案を実施するための最良の形態】
【０００６】
請求項１の考案は、中古車のオークションに対する入札代理事業に使用する伝票であって、顧客が落札を希望する中古車の車名、グレード、年式、シフト、車体の色及び走行距離の情報などの希望条件、顧客の予算の情報並びに顧客の氏名、住所及び電話番号に関する情報を記載する欄を設けた複数枚からなる伝票とする。
請求項２の考案は、請求項１に記載した伝票であって、顧客の希望条件に加えて顧客が落札を希望する中古車の排気量、４ドアや５ドアなどのドア形式、ハードトップ又はセダンなどの情報、ナビゲーションやテレビの装備、ＣＤやＭＤなどオーディオの装備などの希望情報を記載する欄を設けた複数枚からなる伝票とする。
【実施例１】
【０００７】
以下中古車ネットワークの構成を図２に、入札代理方法の各ステップを図３に、本考案の実施例１の伝票を図１にそれぞれ示し説明する。
中古車ネットワーク１２は電気通信回線で各地のオークション会場１１と連結し、各中古車業者１３はそれぞれ中古車ネットワーク１２の会員となって、各地のオークション会場１１で行われる中古車のオークションに入札している。
入札代理事務所１は依頼伝票８を有し、依頼伝票８は複数枚複写式の伝票であって、車名・グレード・排気量・ドア形式などを記載する車名等欄８ａ、年式について記載する年式欄８ｂ、シフトの形式を記載するシフト欄８ｃ、車体の色を記載する色欄８ｄ、走行距離・ハートップ又はセダンなどの情報・ナビゲーションやテレビの装備、ＣＤやＭＤなどオーディオの装備などの情報を記載する備考欄８ｊ、顧客の予算に関する情報を記入する予算欄８ｅを有している。
さらに顧客に関する情報を記載する欄であって、氏名や名称を記載する氏名等欄８ｆ、住所や居所を記載する住所等欄８ｇ、電話番号・携帯電話の番号・ＦＡＸ番号・メイルアドレスなどを記載する電話等欄８ｈを有している。
【０００８】
入札代理事務所１では、顧客から顧客が希望する中古車の希望情報を入手する。この時、入札代理事務所１は顧客の希望する中古車の車名、グレード、年式、シフト、車体の色、走行距離などの希望条件に加え、排気量、４ドアや５ドアなどのドア形式、ハートップ又はセダンなどの情報、ナビゲーションやテレビの装備、ＣＤやＭＤなどオーディオの装備などの情報及び顧客の予算に関する情報、さらには顧客に関する情報を聞いて依頼伝票８に記載する。依頼伝票８は複数枚の複写式になっているが、１部を顧客にお客様控として渡し、残りは入札代理事務所１において担当者控や事務所控として使用する。
続いて、中古車ネットワーク１２のデータベースの中にある出品車のデータの中から顧客の希望条件に合う中古車の情報を抽出する。このときは希望条件のすべてが一致する中古車の情報を抽出することとした。
そして、同等の中古車の最近の落札価格データと過去における落札経験を合わせて検討して、顧客希望金額で落札する可能性のある出品車があれば、これらのデータを顧客に提供してどの出品車に入札するか顧客の選択を求める。
一方、顧客希望金額で落札の可能性のある出品車がない場合及び入札代理事務所１がデータを提供した中古車について顧客が入札を希望しなかった場合には、顧客に対し希望条件の変更を求め、再度データベースの中にある出品車のデータの中から顧客の希望条件に合う中古車の情報を抽出し、そのデータを顧客に提供してどの出品車に入札するか顧客の選択を求める。
顧客の選択を得た後には、入札代理事務所１の大型モニターにより顧客の求める中古車のオークションの競りの実況中継を行いながら、オークションにおいて顧客の求める中古車に入札する。
落札に成功した場合は、落札した中古車の登録手続きを行った後に顧客に引き渡し、対価として手数料を申し受ける。落札に失敗した場合は、さらに顧客の希望条件を確認し中古車ネットワーク１２のデータベースの中にある出品車のデータの中から顧客の希望条件に合う中古車の情報を抽出する。
【産業上の利用可能性】
【０００９】
本考案は、中古車ネットワークの中古車オークションに対して顧客の希望する中古車について入札代理する産業に利用される。
【図面の簡単な説明】
【００１０】
【図１】依頼伝票の正面図である。
【図２】中古車ネットワークの構成を示した模式図である。
【図３】入札代理方法の工程図である。
【符号の説明】
【００１１】
１  ：入札代理事務所        ８  ：依頼伝票              ８ａ：車名等欄
８ｂ：年式欄                ８ｃ：シフト欄              ８ｄ：色欄
８ｅ：予算欄                ８ｆ：氏名等欄              ８ｇ：住所等欄
８ｈ：電話等欄              ８ｊ：備考欄              １１  ：オークション会場
１２  ：中古車ネットワーク  １３  ：中古車業者